(57)【要約】【課題】強い苗を育苗するとともに、育苗期間を短縮できる水耕育苗方法を提供することを目的とする。【解決手段】水耕育苗方法は、植物の育苗期に、マイクロナノバブルを含有させた水耕液を用いる。また、上記水耕育苗方法で育苗した苗を、定植後にマイクロナノバブル非含有の水耕液を用いて栽培する。マイクロナノバブルを含有させた水耕液を用いることで、強い苗を育苗するとともに、育苗期間を短縮できる水耕育苗方法を提供することができる。また、本発明は、マイクロナノバブル非含有の水耕液を用いて定植後の栽培を行うことで、植物の収穫量を増加させることができる。【選択図】なし【特許請求の範囲】
【請求項１】
植物の育苗期に、マイクロナノバブルを含有させた水耕液を用いる水耕育苗方法。
【請求項２】
前記植物は、葉菜類である請求項１に記載の水耕育苗方法。
【請求項３】
空気を原料として、マイクロナノバブル生成装置により、水耕液中にマイクロナノバブルを含有させる請求項１または請求項２に記載の水耕育苗方法。
【請求項４】
酸素ガスを原料とし、マイクロナノバブル生成装置により、水耕液中にマイクロナノバブルを含有させる請求項１または請求項２に記載の水耕育苗方法。
【請求項５】
請求項１乃至請求項４のいずれかに記載の水耕育苗方法で育苗した苗を、定植後にマイクロナノバブル非含有の水耕液を用いて栽培する水耕栽培方法。
【発明の詳細な説明】
【技術分野】
【０００１】
本発明は、水耕育苗方法および水耕栽培方法に関し、特に葉菜類の水耕育苗方法および水耕栽培方法に関するものである。
【背景技術】
【０００２】
農作物の育苗を行う手段の一つとして水耕栽培がある。水耕栽培は、農作物を生育させる際に土を使わずに必要な養水分を、液肥として与える栽培方法（特許文献１参照）である。水耕栽培による育苗は、土耕栽培と比較して、苗の生育が早いことが知られている。
【先行技術文献】
【特許文献】
【０００３】
【特許文献１】特開平７−５９４７９号公報（請求項１、段落［０００１］）
【発明の概要】
【発明が解決しようとする課題】
【０００４】
しかしながら、水耕栽培で育苗する場合であっても、季節または気候の変動、病気などの様々な要因により、苗の生育遅延、苗の品質低下、および苗の生産量の低下が生じるという課題がある。
【０００５】
品質の低下した苗（弱い苗）は、定植後の生育不良などの問題が生じる。そのため、より強い苗を育苗することが求められている。
【０００６】
苗の生育が遅れると、育苗にかかる生産コストが高くなる。そのため、育苗期間を短縮できる育苗方法が求められている。
【０００７】
育苗中に病気や水腐れが生じると、同一の育苗槽で育苗したすべての苗を廃棄しなくてはならない。そのため、病気や水腐れを防止する方法が求められている。
【０００８】
本発明は、このような事情に鑑みてなされたものであって、強い苗を育苗するとともに、育苗期間を短縮できる水耕育苗方法を提供することを目的とする。
【課題を解決するための手段】
【０００９】
上記課題を解決するために、本発明の水耕育苗方法及び水耕栽培方法は以下の手段を採用する。
本発明は、植物の育苗期に、マイクロナノバブルを含有させた水耕液を用いる水耕育苗方法を提供する。
【００１０】
本発明に係る水耕育苗方法で育苗された苗は、マイクロナノバブル非含有の水耕液を用いて育苗した苗と比較して、強い苗となる。このような強い苗を定植して生育させると、マイクロナノバブル非含有の水耕液を用いて育苗した苗を定植した場合と比較して、植物の収穫量が増加する。
【００１１】
「マイクロナノバブルを含有させた水耕液」は、水耕液中に、人為的にマイクロナノバブルを含ませたものである。「マイクロナノバブル非含有の水耕液」は、水耕液中に、人為的にマイクロナノバブルを含ませる処置を施していない水耕液である。「マイクロナノバブル非含有の水耕液」は、意図せず混入したマイクロナノバブルを含んでいてもよい。
【００１２】
本発明によれば、マイクロナノバブル非含有の水耕液を用いて育苗した場合と比較して、苗の生育速度をはやめ、育苗期間を短縮できる。それにより、苗の生産コストが下がるとともに、苗の生産効率が向上する。
【００１３】
本発明によれば、マイクロナノバブルを含有させた水耕液を用いることで、育苗期における苗の腐り及び倒れの発生を抑制できる。それにより、苗の生産量が増えるとともに、育苗後の育苗装置の清掃が容易となる。
【００１４】
上記発明の一態様において、前記植物は、葉菜類であるとよい。
【００１５】
葉菜類の収穫量は、季節または天候によって大きく左右される。上記発明の一態様によれば、葉菜類の苗は、強い苗となる。それにより、季節または天候などによる収穫量への影響を抑え、安定的に葉菜類を収穫できる。
【００１６】
上記発明の一態様において、空気を原料として、マイクロナノバブル生成装置により、水耕液中にマイクロナノバブルを含有させることができる。
【００１７】
上記発明の一態様によれば、空気を原料とすることで、苗の生産コストを抑えることができる。上記発明の一態様によれば、従来よりも苗の生育を促進できるとともに、苗の水腐れ及び倒れの発生を防止できる。
【００１８】
上記発明の一態様において、酸素ガスを原料とし、マイクロナノバブル生成装置により、水耕液中にマイクロナノバブルを含有させることができる。
【００１９】
上記発明の一態様によれば、酸素ガスを原料として生成したマイクロナノバブルを含む水耕液は、苗の生育をより促進させることができる。上記発明の一態様によれば、特に、根の生育が促進される。
【００２０】
本発明は、上記のような水耕育苗方法で育苗した苗を、定植後に、マイクロナノバブル非含有の水耕液を用いて栽培する水耕栽培方法を提供する。
【００２１】
本発明に係る水耕育苗方法で育苗された苗は、マイクロナノバブル非含有の水耕液を用いて育苗した苗と比較して、強い苗となる。このような強い苗を定植して生育させると、マイクロナノバブル非含有の水耕液を用いて育苗した苗を定植・栽培した場合と比較して、植物の収穫量が増加する。
【００２２】
定植後の栽培に、マイクロナノバブル非含有の水耕液を用いることで、マイクロナノバブルを含有させた水耕液で栽培した場合と比較して、植物の収穫量が多くなる。
【発明の効果】
【００２３】
本発明は、マイクロナノバブルを含有させた水耕液を用いることで、強い苗を育苗するとともに、育苗期間を短縮できる水耕育苗方法を提供することができる。また、本発明は、マイクロナノバブル非含有の水耕液を用いて定植後の栽培を行うことで、植物の収穫量を増加させることができる。
【図面の簡単な説明】
【００２４】
【図１】本発明の一実施形態に係る水耕育苗方法を説明する図である。
【図２】マイクロナノバブルを含有させた水耕液の循環装置の概略図である。
【図３】芽の高さの測定位置を示す図である。
【図４】サンプリング位置を示す図である。
【図５】播種後４日目の小スポンジのイメージ図である。
【発明を実施するための形態】
【００２５】
本実施形態に係る水耕育苗方法は、植物の育苗期に、マイクロナノバブルを含有させた水耕液を用いることを特徴とする。
【００２６】
本実施形態に係る水耕育苗方法は、水耕育苗可能な植物を育苗対象とする。本実施形態に係る水耕育苗方法は、特に、葉菜類の育苗に適している。葉菜類は、ホウレンソウ、水菜、小松菜、三つ葉、サラダ菜、及びレタス等を含む。
【００２７】
育苗期とは、播種から定植前までの期間である。マイクロナノバブルを含有させた水耕液は、少なくとも発芽後から定植前まで用いられる。マイクロナノバブルを含有させた水耕液は、育苗期を通して用いられることが好ましい。
【００２８】
マイクロナノバブルは、マイクロバブルとナノバブルとが混在した気泡群である。
マイクロバブルは、直径が数十μｍ以下であるマイクロメートルオーダーの大きさの気泡である。マイクロナノバブルは、水中で縮小していき消滅する（完全溶解）。
【００２９】
ナノバブルは、直径が１μｍよりも小さいナノメートルオーダーの微細なバブル（気泡）である。ナノバブルの直径（平均）は、５０ｎｍ以上３００ｎｍ以下、好ましくは１００ｎｍ以上１５０μｍ以下とされる。ナノバブルは、水耕液中に０．５×１０８個／ｃｃ以上２×１０８個／ｃｃ以下で含有されるとよい。ナノバブルは、長時間水中に存在することが可能である。
【００３０】
マイクロナノバブルの原料は、空気または酸素ガスとされる。酸素ガスは、空気よりも酸素が豊富に含まれるガスである。酸素ガスは、酸素純度が９９．５％以上であることが好ましい。
【００３１】
マイクロナノバブルを含有させた水耕液は、マイクロナノバブル生成装置によって生成される。マイクロナノバブル生成装置は、市販の装置を使用できる。マイクロバブルの生成原理は、特に限定されない。
【００３２】
水耕液は、水をベースとする。水耕液は、養分を含んでいても、養分を含んでいなくてもよい。発芽後に用いる水耕液は、養分を含んでいることが好ましい。養分は、窒素、リン、カリウム、カルシウム、マグネシウム、鉄、硫黄、マンガン、ホウ素、亜鉛、銅、およびモリブデンなどである。
【００３３】
図１に、本実施形態に係る水耕育苗方法を説明する図を示す。
育苗槽１にマイクロナノバブルを含有させた水耕液２を供給する。育苗槽１の底に育苗床３を置き、該育苗床３の上面に種４を播く。播種後、気温、光、水耕液の温度を管理して育苗する。水耕液２は、育苗槽１内で略一定量が維持されるよう、適宜育苗槽１に補給される。水耕液２の量は、育苗床３の上面に達しない程度が好ましい。
【００３４】
水耕液は、育苗槽内を循環させてもよい。
図２は、マイクロナノバブルを含有させた水耕液の循環装置５の一態様を示す概略図である。循環装置５は、マイクロナノバブルを含有させた水耕液２が収容された水耕液タンク６と、水耕液タンク６からマイクロナノバブルを含有させた水耕液２を吸い上げるポンプ７と、を備えている。循環装置５は、ポンプ７を用いて、水耕液タンク６から育苗槽１の一端部側にマイクロナノバブルを含有させた水耕液２を供給する。循環装置５は、育苗槽１の他端部側から水耕液２を排出させて水耕液タンク６に回収する。マイクロナノバブルを含有させた水耕液２を循環させることで、マイクロナノバブルが根に接触する機会を増やすことができる。
【００３５】
本実施形態に係る水耕育苗方法で育苗した苗は、定植後から収穫時までの間、従来の水耕液（バイクロナノバブル非含有の水耕液）を用いて栽培される。本実施形態に係る水耕育苗方法で育苗した苗は、植物の生長時期に合わせて、定植後から収穫時までの間の一部で、マイクロナノバブル含有の水耕液を用いて栽培されてもよい。
【００３６】
＜水耕液の調製＞
マイクロナノバブル生成装置は、三菱重工交通機器エンジニアリング株式会社製のナノチャージャーを使用した。
【００３７】
（１）空気を原料とするマイクロナノバブルを含有させた水耕液
ナノチャージャーに、空気および井戸水を供給し、マイクロナノバブルを含有させた水耕液を調製した。
【００３８】
（２）酸素を原料とするマイクロナノバブルを含有させた水耕液
ナノチャージャーに、空気および井戸水を供給し、マイクロナノバブルを含有させた水耕液を調製した酸素ガスは、純度９９．５％を使用した。
【００３９】
上記（１）および（２）の水耕液について、Ｎａｎｏ−Ｓｉｇｈｔ社  ＬＭ１０を用いてマイクロナノバブル含有量を測定した。
【００４０】
マイクロナノバブル含有量は、調製直後で０．７×１０８個／ｃｃ（平均直径１１３ｎｍ）であった。
【００４１】
（２）の水耕液について、堀場製作所  ＰＨ／ＤＯメータ  Ｄ５５を用いて溶存酸素濃度（ＤＯ）を測定した。溶存酸素濃度は、調製直後１８．６ｍｇ／Ｌ、調製１日後１２．５ｍｇ／Ｌ、調製３日後４．６ｍｇ／Ｌであった。
【００４２】
＜発芽試験１＞
マイクロナノバブルを含有させた水耕液を用いて、葉菜類の発芽試験を実施した。試験対象植物は、ほうれんそう（品種：サーマトップ）及び水菜（品種：早生千筋京水菜）とした。
【００４３】
（１）水耕液の調製
ナノチャージャー（三菱重工交通機器エンジニアリング株式会社製）に、空気および井戸水を供給し、マイクロナノバブルを含有させた水耕液を調製した。調製方法は＜水耕液の調製＞の（１）と同様に行った。調製は播種１日前に行った。
【００４４】
（２）播種
育苗槽は、発泡スチロール製の箱体（大きさ６５ｃｍ×３５ｃｍ、深さ４．５ｃｍ）とした。
育苗床は、ウレタンスポンジ（ハイポニカ社製、大きさ６０ｃｍ×３０ｃｍ、厚さ２．５ｃｍ）とした。スポンジとは、内部に細かな孔が無数に空いた多孔質の柔らかい物質である。ウレタンスポンジは、２．５ｃｍ角の立方体の小スポンジが２８８個つながったシートであり、小スポンジは個々に分割可能である。ウレタンスポンジの表面は平坦である。
【００４５】
育苗槽に、マイクロナノバブルを含有させた水耕液を供給した。該育苗槽の底に、育苗床を置いた。マイクロナノバブルを含有させた水耕液は、育苗床の上部が浸らない程度の量とした。
【００４６】
育苗床（２．５ｃｍ角ベッド）の上面に、試験対象植物の種（約８粒／ベッド）を播いた。
【００４７】
（３）育苗
播種後の育苗床を、空調管理された暗所で約３日間安置して発芽させた。発芽後、太陽光の元に置き、約３日間緑化させた。
【００４８】
比較対照として、マイクロナノバブル非含有水耕液（井戸水）を用いて、同ロットの種子を同様に育苗した。給水は、マイクロナノバブルを含有させた水耕液と同じタイミングで行った。
【００４９】
播種後４日目、５日目、６日目に、それぞれ試験対象植物の芽の高さを測定した。図３に、芽の高さ（ｈ）の測定位置を示す。芽の高さは、育苗床の上面から垂直上方向に向かって、葉８の一番高い箇所までとした。図４に、サンプリング位置を示す。サンプリングは、育苗床３内の５点（Ａ，Ｂ，Ｃ，Ｄ，Ｅ）から行った。
【００５０】
表１に、芽の高さの測定結果（５点平均）を示す。
【表１】
2015097515.tif 000002
＊１  空気を原料とするマイクロナノバブルを含有させた水耕液
＊２  マイクロナノバブル非含有水耕液
【００５１】
表１によれば、マイクロナノバブルを含有させた水耕液を用いて育苗した苗の芽の高さは、マイクロナノバブル非含有水耕液を用いて育苗した苗の芽の高さよりも１３％〜１５％高かった。ホウレンソウおよび水菜は、ともにマイクロナノバブルを含有させた水耕液を用いることで、苗の生育が早くなることが確認された。上記結果から、マイクロナノバブルを含有させた水耕液を用いることで、６日間の育苗期間を半日程度短縮できることがわかった。
【００５２】
＜発芽試験２＞
空気を原料とするマイクロナノバブルを含有させた水耕液、または酸素ガスを原料とするマイクロナノバブルを含有させた水耕液を用いて、水菜（品種：早生千筋京水菜）の発芽試験を実施した。
【００５３】
（１）水耕液の調製
ナノチャージャー（三菱重工交通機器エンジニアリング株式会社製）を用いて、空気を原料とするマイクロナノバブルを含有させた水耕液、および酸素を原料とするマイクロナノバブルを含有させた水耕液を調製した。調製方法は＜水耕液の調製＞の（１）および（２）と同様に行った。調製は播種３日前に行った。
【００５４】
（２）播種・育苗
＜発芽試験１＞と同様に、水菜の種を播き、育苗した。
【００５５】
比較対照として、マイクロナノバブル非含有水耕液（井戸水）を用いて、同一種子を同様に育苗した。給水は、他の水耕液と同じタイミングで行った。
【００５６】
播種後４日目に、試験対象植物の芽の高さ、小スポンジ中の芽の数、根の数および根の長さを測定した。図５に、播種後４日目の小スポンジのイメージ図を示す。サンプリングは、＜発芽試験１＞と同様に行った。
【００５７】
表２に、各測定結果（平均）を示す。
【表２】
2015097515.tif 000003
＊１  マイクロナノバブル非含有水耕液
＊２  空気を原料とするマイクロナノバブルを含有させた水耕液
＊３  酸素を原料とするマイクロナノバブルを含有させた水耕液
＊４  根の数とは、小スポンジ下部を突き抜けている根の数を示す
【００５８】
マイクロナノバブルを含有させた水耕液を用いて育苗した苗の芽の高さは、マイクロナノバブル非含有水を用いて育苗した苗の芽の高さよりも高かった。
【００５９】
芽の数は、いずれの水耕液を用いた場合もあまり変わらなかった。一方、根の数は、マイクロナノバブルを含有させた水耕液を用いることで増加した。
【００６０】
根９の長さは、空気を原料とするマイクロナノバブルを含有させた水耕液を用いたものが、マイクロナノバブル非含有水を用いたものよりも少し短かった。しかしながら、酸素ガスを原料とするマイクロナノバブルを含有させた水耕液を用いると、根の長さは顕著に長くなった。
【００６１】
＜腐り・倒れ＞
空気を原料とするマイクロナノバブルを含有させた水耕液、または酸素ガスを原料とするマイクロナノバブルを含有させた水耕液を用いて、ホウレンソウ（品種：サーマトップ）を育苗し、腐り・倒れを観察した。
【００６２】
（１）水耕液の調製
＜発芽試験２＞と同様に調製した。
【００６３】
（２）播種
＜発芽試験１＞と同様に、ホウレンソウの種を播いた。
【００６４】
（３）育苗
播種後の育苗床を、空調管理された暗所で約３日間安置して発芽させた。発芽後、空調管理された場所で、蛍光灯を光源として、約３日間緑化させた。
【００６５】
比較対照として、マイクロナノバブル非含有水耕液（井戸水）を用いて、同ロットの種子を同様に育苗した。給水は、他の水耕液と同じタイミングで行った。
【００６６】
播種後７日目に、腐り・倒れ具合を目視で確認した。マイクロナノバブル非含有水耕液を用いた苗は、育苗床全体の約４０％の領域で腐り・倒れが発生した。一方、酸素ガスを原料とするマイクロナノバブルを含有させた水耕液を用いた場合には、腐り・倒れが１０％程度であった。空気を原料とするマイクロナノバブルを含有させた水耕液を用いると、腐り・倒れが１０％以下となった。上記結果から、マイクロナノバブルを含有させた水耕液には殺菌効果があることが確認できた。
【００６７】
＜生育試験＞
異なる水耕液で育苗した苗Ａおよび苗Ｂを用いて、同じ条件で定植および栽培を行った。苗Ａおよび苗Ｂの発芽・育苗は、＜発芽試験１＞と同様に行った。
苗Ａ：空気を原料とするマイクロナノバブルを含有させた水耕液を用いて育苗したホウレンソウの苗
苗Ｂ：マイクロナノバブル非含有水耕液を用いて育苗したホウレンソウの苗
【００６８】
定植および栽培に用いる水耕液は、井戸水（マイクロナノバブル非含有溶液）をベースとした。水耕液は、養分を含む。養分は、窒素、リン、カリウム、カルシウム、マグネシウム、鉄、他とされる。
【００６９】
苗Ｂを井戸水ベースの水耕液で栽培した場合、収穫量は２５袋だった。苗Ａを井戸水ベースの水耕液で栽培した場合、収穫量は３４袋だった。マイクロナノバブルを含有させた水耕液を用いて育苗した苗Ａの方が、３６％も収穫量が多かった。
【００７０】
なお、定植および栽培の期間を通して、空気を原料とするマイクロナノバブルを含有させた水耕液（含養分）を用いた場合、収穫量は、苗Ａおよび苗Ｂともに２５袋であった。井戸水ベースの水耕液で栽培した場合と比較して、収穫は６日遅かった。
【００７１】
また、ホウレンソウの生長時期に合わせて、定植後から収穫時まので間の一部でのみ、空気を原料とするマイクロナノバブルを含有させた水耕液（含養分）を用いた場合、収穫量は、３４袋であった。
【００７２】
上記結果から、マイクロナノバブルを含有させた水耕液を用いて育苗は、定植後にマイクロナノバブル非含有の水耕液を用いて栽培すると良いことがわかった。
【符号の説明】
【００７３】
１  育苗槽
２  マイクロナノバブルを含有させた水耕液
３  育苗床
４  種
５  循環装置
６  水耕液タンク
７  ポンプ
８  葉
９  根
【図１】
2015097515.tif 000004
【図２】
2015097515.tif 000005
【図３】
2015097515.tif 000006
【図４】
2015097515.tif 000007
【図５】
2015097515.tif 000008